(57)【要約】【課題】本発明は基礎コンクリートと土台の新規の構造を提案し、環境状況や費用の面で選択肢を多くし、免振構造を備えた家屋等の普及を増進する。【解決手段】基礎コンクリート１に埋設した基礎パイプ２に、内周面との間に板バネ４を介してアンカーボルト５を挿入支持する。基礎コンクリート１と土台６間に基礎パッキン７を介在させて隙間を形成する。基礎パイプ２から突出して土台６に挿入したアンカーボルト５の上部に弾性素材の固定用環体８を嵌合し、上端部は固定ナット５１を螺着した。基礎コンクリート１と前記固定用環体８間のアンカーボルト５にスプリング９を巻着した。【選択図】  図１
2013076243.tif 000002
【特許請求の範囲】
【請求項１】
基礎コンクリートに埋設した基礎パイプに、内周面との間に板バネを介してアンカーボルトを挿入支持したこと、
基礎コンクリートと土台間に基礎パッキンを介在させて隙間を形成したこと、
基礎パイプから突出して土台に挿入したアンカーボルトの上部に弾性素材の固定用環体を嵌合し、上端部は固定ナットを螺着したこと、
基礎コンクリートと前記固定用環体間のアンカーボルトにスプリングを巻着したこと、
を特徴とする基礎コンクリートと土台の構造。
【請求項２】
基礎パイプに浮き上がりを阻止する羽状体を有することを特徴とする請求項１記載の基礎コンクリートと土台の構造。
【請求項３】
回転子を抱持した上下二枚の円盤体の中心孔に、アンカーボルトを緩挿し、基礎コンクリートとアンカーボルトに巻着したスプリングの間に介在させたことを特徴とする請求項１又は２記載の基礎コンクリートと土台の構造。
【発明の詳細な説明】
【技術分野】
【０００１】
本発明は家屋建造物等の基礎コンクリートと土台の構造に関するもので、詳しくは地震等の揺れを緩和する構造に関するものである。
【背景技術】
【０００２】
従来公知の家屋建造物等の基礎コンクリートと土台の構造に関するものとして、例えば、特開平１０−２４５８５３号公報には、基礎にアンカー支持管を埋設し、アンカー支持管内に圧縮ばねを収容し、圧縮ばねが基礎の外部に露出しないようにし、異物が圧縮ばねに挟まらないようにしたので、圧縮ばね本来の機能を常時発揮できるようにし、また、圧縮ばねが土台の上方から大きく上方へ突出しないようにしたので、圧縮ばねが邪魔にならないで、施工作業性を向上することができる。さらに、地震などによる縦方向の力や横方向の力に対して弾性部材や圧縮ばねが撓むことで、その力を十分に吸収するようにした構造が開示されている。
【０００３】
また、特開２００５−３２５５３９号公報では、コンクリート基礎に埋設される、上方が開口した実質的にシリンダー容器状の鞘管部材と、上端に据付用ナットを有し、土台を貫通して下側方向に伸びるアンカーボルトとから成り、鞘管部材の上端側外周縁にはフランジ部が存在し、アンカーボルトには、土台を下方から支持して上下動させるための土台高さ調節用ナットが取り付けられており、当該ナットが、ワッシャー状の丸座部材上に載置された状態で前記フランジ部の上面に載置され、アンカーボルトの下方側部分の外周と鞘管部材の内周壁面との間には空間が存在し、アンカーボルトの下端と鞘管部材の内底面とは、地震によりアンカーボルトの下端が移動した際に連結状態が解除され得る連結手段によって連結した構造が開示されている。
【０００４】
さらに、特開２００６−１１２１６４号公報では、免震アンカーボルトは、基礎に埋め込まれる埋め込み部と、先端部分が土台より突出して締付ナットと螺合する雄ねじ部とを有し、埋め込み部と雄ねじ部との中間部分に、地震動のエネルギーを吸収可能なスプリング部を一体的に設けた構成とし、基礎と土台との空間に、当該免震アンカーボルトのスプリング部を被覆し当該スプリング部と共に弾性変形して地震動のエネルギーを吸収する弾性体とを設けたものが開示されている。
【先行技術文献】
【特許文献】
【０００５】
【特許文献１】特開平１０−２４５８５３号公報
【特許文献２】特開２００５−３２５５３９号公報
【特許文献３】特開２００６−１１２１６４号公報
【発明の概要】
【発明が解決しようとする課題】
【０００６】
そこで、本発明は従来に無い新規の構成を提案し、環境状況や費用の面で選択肢を多くして免振構造を備えた家屋等の普及を増進せしめんとするものである。
【課題を解決するための手段】
【０００７】
基礎コンクリートと土台の構造に係る請求項1の発明は、基礎コンクリートに埋設した基礎パイプに、内周面との間に板バネを介してアンカーボルトを挿入支持したこと、基礎コンクリートと土台間に基礎パッキンを介在させて隙間を形成したこと、基礎パイプから突出して土台に挿入したアンカーボルトの上部に弾性素材の固定用環体を嵌合し、上端部は固定ナットを螺着したこと、基礎コンクリートと前記固定用環体間のアンカーボルトにスプリングを巻着したこと、を特徴とするものである。
【０００８】
請求項２の基礎コンクリートと土台の構造の発明は、請求項１の発明において、基礎パイプに浮き上がりを阻止する羽状体を有することを特徴とするものである。
【０００９】
請求項３の基礎コンクリートと土台の構造の発明は、請求項１又は２の発明において、回転子を抱持した上下二枚の円盤体の中心孔に、アンカーボルトを緩挿し、基礎コンクリートとアンカーボルトに巻着したスプリングの間に介在させたことを特徴とするものである。
【発明の効果】
【００１０】
請求項１の発明は、基礎コンクリートに埋設した基礎パイプに、内周面との間に板バネを介してアンカーボルトを挿入支持したことで、板バネによってアンカーボルトに伝わる横方向の揺れを吸収緩和する効果を発揮する。
【００１１】
また、基礎コンクリートと土台間に基礎パッキンを介在させて隙間を形成したこと、及び基礎パイプから突出して土台に挿入したアンカーボルトの基礎コンクリートと前記固定用環体間にスプリングを巻着したことにより、アンカーボルトによって土台に伝わる上下方向の揺れを吸収緩和する効果を発揮する。
【００１２】
さらに、基礎パイプから突出して土台に挿入したアンカーボルトの上部に弾性素材の固定用環体を嵌合し、上端部は固定ナットを螺着したことによって、アンカーボルトから土台に伝わる横方向及び上下方向の揺れを吸収緩和する効果を発揮するものである。
【００１３】
請求項２の発明は、基礎パイプに浮き上がりを阻止する羽状体を有するため、コンクリート基礎の上下方向の揺れによって基礎パイプが浮き上がって、基礎パイプの上下方向の揺れが増幅されるのを防止できる格別の効果を発揮する。
【００１４】
請求項３の発明は、複数個の回転子を抱持した上下二枚の円盤体の中心孔に、アンカーボルトを緩挿し、基礎コンクリートとアンカーボルトに巻着したスプリングの間に介在させたため、土台の重量と上下方向の揺れを、アンカーボルトが直接受ける事無く、スプリングと複数個の回転子で分散して受けて吸収緩和する格別の効果を発揮するものである。
【図面の簡単な説明】
【００１５】
【図１】本発明の一実施の形態を示す縦断正面図である。
【図２】図１の縦断側面図である。
【図３】図１のＡ−Ａ線断面図である。
【図４】図１のＢ−Ｂ線断面図である。
【発明を実施するための形態】
【００１６】
本発明の一実施の形態を図面に基づいて説明する。
図１は本発明の一実施の形態を示す縦断正面図、図２は縦断側面図、図３は図１のＡ−Ａ線断面図、図４は図１のＢ−Ｂ線断面図を示す。
【００１７】
土中に基礎コンクリート１が打ってあり、基礎コンクリート１には円筒状の基礎パイプ２が埋設固定されている。
そして、基礎パイプ２の下端には、板体をＶ字に形成した羽体３の起立した羽先端部が基礎パイプ２の外周から突出して当着してあり、コンクリート基礎１の上下方向の揺れによって基礎パイプ２が浮き上がって行くのを防止する作用を奏するものである。
【００１８】
また、基礎パイプ２内に、アンカーボルト５の下部が挿入され、アンカーボルト５の外周と基礎パイプ２の内周面との周囲の空間に板バネ４、４・・・を介入して圧接支持されている。
図面では、アンカーボルト５の同一高さ位置の周囲に、９０度間隔で四方向に板バネ４、４、４、４が数段に亘って介入してある。
【００１９】
基礎コンクリート１と土台６間に隙間空間を形成し、基礎パッキン７を介在させ、基礎コンクリート１からの上下・横方向の振動が直接土台６に伝わらないように基礎パッキン７で吸収緩和している。
基礎パッキン７は弾力性を有する公知の樹脂製材を適宜選択可能である。
【００２０】
基礎パイプ２から突出して土台６に挿入したアンカーボルト５の上部に弾性素材の固定用環体８が嵌合してあり、固定用環体８に当圧してナット５１がアンカーボルト５の上端部に螺着して土台６に固定してある。
この弾性素材の固定用環体８によって、アンカーボルト５の基礎コンクリート１からの横方向の振動が土台６に伝わるのを吸収緩和する。
【００２１】
さらに、基礎コンクリート１と前記固定用環体８間のアンカーボルト５にはスプリング９を巻着し、アンカーボルト５の基礎コンクリート１からの上下方向の振動が土台６に伝わるのを吸収緩和している。
尚、土台６内には、アンカーボルト５、固定用環体８、ナット５１及びスプリング９を内装できる段部を有する貫通孔が形成してある。
【００２２】
そして、基礎コンクリート１とアンカーボルト５に巻着したスプリング９の間には、中心孔にアンカーボルト５を緩挿した上下二枚の円盤体１０、１０が介在している。
上下二枚の円盤体１０、１０、の間には複数個の回転子１１、１１・・・を抱持し、土台の重量と揺れを、アンカーボルト５が直接受ける事無く複数個の回転子１１、１１・・・で分散して受けて吸収緩和するものである。
【００２３】
円盤体１０は金属製で中央部に膨らみを有した形状が好ましく、回転子１１が中央方向への転動志向を持たせて逸脱を防止する。
また、回転子１１は遠心方向に転動するようにガイド手段を円盤体１１、１１の対抗面に設けても良い。
【００２４】
上位置の円盤体１０はスプリング９に加圧されて位置決めされるけれど、下位置の円盤体１０はゴムパッキン１２を敷設して安定性を与えることが好ましい。
また、円盤体１０、１０は中心孔にアンカーボルト５を緩挿したものであるから、アンカーボルト５の上下動に互いにスライドして対応する。
【００２５】
以上、本発明を実施の形態を図面に基づき具体的に説明したが、本発明は上記の実施形態に限定されるものではなく、発明の思想を逸脱することない範囲の他の実施の形態にも適用可能である。
【符号の説明】
【００２６】
１    基礎コンクリート
２    基礎パイプ
３    羽体
４    板バネ
５    アンカーボルト
６    土台
７    基礎パッキン
８    環体
９    スプリング
１０  円盤体
１１  回転子
１２  ゴムパッキン
５１  ナット
【図１】
2013076243.tif 000003
【図２】
2013076243.tif 000004
【図３】
2013076243.tif 000005
【図４】
2013076243.tif 000006